(57)【要約】【課題】浮力に抗して水中に沈めることによりトレーニングを行うので、極めて軽量に製作されており、極めて安全なトレーニング用具を提供する。【解決手段】入浴時に使用者Ｍがトレーニング用具１を持って浴槽２５に入る。そして、保持部７を順手で握り、トレーニング用具１をその浮力に抗して、浴槽２５内（水中）に沈めてトレーニングを行う。トレーニング用具１の浮力はおよそ２ｋｇなので、この浮力に抗してトレーニング用具１を水中の沈めようとすれば腕や手首に負荷がかかり、筋力トレーニングを行うことができる。特に浴槽２５に浸かったままで、筋力トレーニングを行うので、より発汗が促されて新陳代謝も盛んになり、痩身効果も期待できる。【選択図】        図３
0003123515.tif 000002
【実用新案登録請求の範囲】
【請求項１】
浮力発生部と、前記浮力発生部に連結された保持部とから成り、前記保持部を掴む等して保持し、浮力に抗して水中に沈めることにより筋力トレーニングを行うことを特徴とするトレーニング用具。
【請求項２】
請求項１に記載したトレーニング用具において、浮力発生部は同じ大きさ及び同じ形状に形成されたものが２つ設けられ、保持部は前記２つの浮力発生部に連結されていることを特徴とするトレーニング用具。
【請求項３】
請求項２に記載したトレーニング用具において、保持部は棒状に形成され、２つの浮力発生部の中心部に連結されており、トレーニング用具がダンベル様に形成されていることを特徴とするトレーニング用具。
【考案の詳細な説明】
【技術分野】
【０００１】
本考案は水中トレーニング用具に係り、特に浮力による抵抗を利用して筋力トレーニングを行う水中トレーニング用具に関するものである。
【背景技術】
【０００２】
鉄製のダンベルを用いてトレーニングを行うことは、単なる筋力トレーニングに止まらず痩身効果も認められることから、男性のみならず、美容目的で女性も鉄製のダンベルを用いたトレーニングを広く行うようになっている。
【考案の開示】
【考案が解決しようとする課題】
【０００３】
しかしながら、鉄製のダンベルは誤って足の上に落とすと、思わぬ怪我をすることもある。
また、鉄製のダンベルを用いたトレーニングはトレーニングジムで行うにせよ、自宅で行うにせよ、そのための時間をわざわざ取る必要があり、長続きしないことが少なくない。
【０００４】
本考案は上記従来の問題点に着目して為されたものであり、浮力に抗して水中に沈めることによりトレーニングを行うので、極めて軽量に製作されており、足の上に落としても怪我をすることがなく安全で、しかも水中に沈めて使用するので入浴時に使用でき、わざわざトレーニングのための時間を取る必要がなくて、更に入浴時の体が温まった新陳代謝が盛んな状態でトレーニングを行うことができるので、効率のよいトレーニングが可能で、特に高い痩身効果を期待することができる水中トレーニング用具を提供することを、その目的とする。
【課題を解決するための手段】
【０００５】
本考案は上記課題を解決するためになされたものであり、請求項１の考案は、浮力発生部と、前記浮力発生部に連結された保持部とから成り、前記保持部を掴む等して保持し、浮力に抗して水中に沈めることにより筋力トレーニングを行うことを特徴とするトレーニング用具である。
【０００６】
請求項２の考案は、請求項１に記載したトレーニング用具において、浮力発生部は同じ大きさ及び同じ形状に形成されたものが２つ設けられ、保持部は前記２つの浮力発生部に連結されていることを特徴とするトレーニング用具である。
【０００７】
請求項３の考案は、請求項２に記載したトレーニング用具において、保持部は棒状に形成され、２つの浮力発生部の中心部に連結されており、トレーニング用具がダンベル様に形成されていることを特徴とするトレーニング用具である。
【考案の効果】
【０００８】
本考案の水中トレーニング用具によれば、浮力に抗して水中に沈めることによりトレーニングを行う構成となっているので、極めて軽量に製作されており、安全である。
また、水中に沈めて使用するので入浴時にトレーニングが可能で、わざわざトレーニングのための時間を取る必要がない。更に入浴時の体が温まった新陳代謝が盛んな状態でトレーニングを行うことができるので、効率のよいトレーニングが可能で、特に高い痩身効果を期待することができる。
【考案を実施するための最良の形態】
【０００９】
本考案の実施の形態に係る水中トレーニング用具１を図面にしたがって説明する。
符号３は発泡ポリウレタン製の浮力発生部を示し、高さ寸法の小さい円柱状に形成され、同じ大きさ及び同じ形状のものが一対備えられている。図２に示すように浮力発生部３の中心部には丸穴５が形成されている。
【００１０】
符号７は細い円筒から成る棒状の保持部を示し、この保持部７はポリプロピレン（以下、ＰＰという。）によって構成されている。保持部７の両端部には小孔９が形成されている。
保持部７の中央部分には円筒状に形成されたスポンジ製のクッション部材１２が嵌められ、更に保持部７の両端部分にはＰＰ製の外嵌部材１１が嵌められている。外嵌部材１１は円筒部１３と、この円筒部１３に一体に形成されたフランジ１４とによって構成されている。円筒部１３は浮力発生部３の丸穴５に嵌められており、フランジ１４は浮力発生部３の内側面に当接している。
【００１１】
保持部７の両端部は浮力発生部３の丸穴５へ挿入されている。また保持部７の両端部の開口からＰＰ製の内嵌部１５の円筒部１７が嵌合されている。円筒部１７には小孔１９が形成され、また円筒部１７にはフランジ２１が一体に形成されている。フランジ２１は浮力発生部３の外側面に当接している。そして、雄ネジ２３を保持部７の小孔９からねじ込み、更に内嵌部１５の小孔１９へねじ込んで、内嵌部１５を保持部７に固定する。
このように水中トレーニング１はダンベル様に形成されている。
【００１２】
浮力発生部３の直径が１４６ｍｍ、厚さ寸法が５２ｍｍ、保持部７の長さ寸法が２２０ｍｍ、直径が２５ｍｍで、トレーニング用具１の総重量は約１３０ｇである。従って、トレーニング用具１を足の上に落としても怪我をすることはない。また、トレーニング用具１の浮力はおよそ２ｋｇである。
【００１３】
トレーニング用具１の使用方法を説明する。
図３に示すように例えば入浴時に使用者Ｍがトレーニング用具１を持って浴槽２５に入る。そして、保持部７を順手で握り、トレーニング用具１をその浮力に抗して、浴槽２５内（水中）に沈めてトレーニングを行う。前記したようにトレーニング用具１の浮力はおよそ２ｋｇなので、この浮力に抗してトレーニング用具１を水中の沈めようとすれば腕や手首に負荷がかかり、筋力トレーニングを行うことができる。特に浴槽２５に浸かったままで、筋力トレーニングを行うので、より発汗が促されて新陳代謝も盛んになり、痩身効果も期待できる。
【００１４】
また図４に示すようにトレーニング用具１を足に挟み、足を上下左右方向へ動かしてトレーニングを行なってもよい。
【００１５】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態ではダンベル様のトレーニング用具を示したが、本考案はこれに限定されず、保持部と浮力発生部を具備するものであればどのような形状であってもよい。
浮力発生部の大きさも上記実施の形態に示したものに限定されず、所望の浮力を発生するように変更してもよい。
尚、本考案のトレーニング用具は上記した入浴時だけでなく、例えばプール等においても使用できることは言うまでもない。
【産業上の利用可能性】
【００１６】
本考案のトレーニング用具は、筋力トレーニング用とは勿論のこと、痩身等を目的とした美容機器としての利用が可能である。
【図面の簡単な説明】
【００１７】
【図１】本考案の実施の形態に係るトレーニング用具の斜視図である。
【図２】図１のトレーニング用具の分解斜視図である。
【図３】図１のトレーニング用具を用いたトレーニング方法を説明するための図である。
【図４】図１のトレーニング用具を用いたその他のトレーニング方法を説明するための図である。
【符号の説明】
【００１８】
１  トレーニング用具      ３  浮力発生部      ５  丸穴
７  把持部      ９  小孔      １１  外嵌部材
１２  クッション部材      １３  円筒部      １４  フランジ
１５  内嵌部材      １７  円筒部        １９  小孔
２１  フランジ      ２３  雄ネジ      ２５  浴槽
【図１】
0003123515.tif 000003
【図２】
0003123515.tif 000004
【図３】
0003123515.tif 000005
【図４】
0003123515.tif 000006